(57)【要約】テレビ情報信号を供給するインタラクティブなピクチャー・イン・ピクチャーシステム、および方法。加入者サイトに位置する表示装置は、２つの表示画面、１つは第１のチューナーから受信されるインタラクティブなテレビ情報信号を見せ、１つは第２のチューナーから受信されるテレビ情報信号を見せる、に分割される。加入者サイトのユーザーは、入力装置を用いて信号と接触できる。入力装置は、表示される信号と関連付けて規定されるデータを、インタラクティブ制御ノードへ送る。インタラクティブ制御ノードは、１つの、または両方のチューナーに表示のための異なったテレビ情報信号を引き起こさせるデータと共に応答する。チューナーは、インタラクティブ制御ノードによって送られるデータに基いた異なった信号を選択し、少なくとも１つの表示画面を変える、または、データがインタラクティブ制御ノードからチューナーに送られない場合、現信号を表示し続ける。
2006528438.tif 000002
【特許請求の範囲】
【請求項１】
インタラクティブなピクチャー・イン・ピクチャービデオ表示を生成する方法であって、該方法は、
表示装置の第１の表示画面において、テレビ信号配給網の第１のインタラクティブなテレビ信号を表示することと、
該第１のインタラクティブなテレビ信号とインタラクトして、制御信号を生成することと、
該テレビ信号配給網のインタラクティブ制御ノードに該制御信号を通信することと、
該表示装置の第２の表示画面において、該テレビ信号配給網の第２のテレビ信号を表示することであって、該第２のテレビ信号は、該制御信号に応答する該インタラクティブ制御ノードからの指示の応答によって選択される、ことと
を包含する、方法。
【請求項２】
前記テレビ信号が、デジタルテレビ信号を含む、請求項１に記載の方法。
【請求項３】
前記テレビ信号が、アナログテレビ信号を含む、請求項２に記載の方法。
【請求項４】
前記第１のインタラクティブなテレビ信号が、電子プログラムガイドを備える、請求項１に記載の方法。
【請求項５】
前記第２のテレビ信号が、前記第１のインタラクティブなテレビ信号の、インタラクトして選択された一部分に関連するプログラムのプレビューを備える、請求項１に記載の方法。
【請求項６】
前記第１のインタラクティブなテレビ信号が、インタラクティブなコンピュータネットワークウェブサイトと関連する、請求項１に記載の方法。
【請求項７】
インタラクティブなテレビ信号配給システムのためのセット・トップ・ボックスであって、該セット・トップ・ボックスは、
表示装置の第１の表示画面において表示するための、テレビ信号配給網の第１のインタラクティブなテレビ信号を提供する第１のチューナーと、
該テレビ信号配給網のインタラクティブ制御ノードに制御信号を通信するデータトランシーバであって、該制御信号は、該第１のインタラクティブなテレビ信号とのユーザーのインタラクションに応答して生成される、データトランシーバと、
該表示装置の第２の表示画面においての表示のための、該テレビ信号配給網の第２のテレビ信号を提供する第２のチューナーであって、該第２のテレビ信号は、該制御信号に応答するインタラクティブ制御ノードからの指示に応答して選択される、第２のチューナーと、
を備える、セット・トップ・ボックス。
【請求項８】
前記テレビ信号が、デジタルテレビ信号を含む、請求項７に記載のセット・トップ・ボックス。
【請求項９】
前記テレビ信号が、アナログテレビ信号を含む、請求項８に記載のセット・トップ・ボックス。
【請求項１０】
前記第１のインタラクティブなテレビ信号が、電子プログラムガイドを備える、請求項７に記載のセット・トップ・ボックス。
【請求項１１】
前記第２のテレビ信号が、前記第１のインタラクティブなテレビ信号の、インタラクティブに選択された一部分に関連するプログラムのプレビューを備える、請求項７に記載のセット・トップ・ボックス。
【請求項１２】
前記第１のインタラクティブなテレビ信号が、インタラクティブなコンピュータネットワークウェブサイトと関連する、請求項７に記載のセット・トップ・ボックス。
【請求項１３】
テレビ信号配給網のためのインタラクティブ制御ノードであって、該ノードは、
加入者サイトにおける表示装置の第１の表示画面においての表示のための、少なくとも１つのインタラクティブなテレビ信号を有する複数のテレビ信号を、該加入者サイトに提供する、テレビ信号源と、
該少なくとも１つのインタラクティブなテレビ信号とのユーザーのインタラクションに応答して生成される、該加入者サイトからの制御信号に応答して、該表示装置の第２の表示画面において表示するための第２のテレビ信号を、該テレビ信号源に提供させる、制御部と、
を備える、インタラクティブ制御ノード。
【請求項１４】
前記複数のテレビ信号が、デジタルテレビ信号を含む、請求項１３に記載のインタラクティブ制御ノード。
【請求項１５】
前記複数のテレビ信号が、アナログテレビ信号を含む、請求項１４に記載のインタラクティブ制御ノード。
【請求項１６】
前記少なくとも１つのインタラクティブなテレビ信号が、電子プログラムガイドを備える、請求項１３に記載のインタラクティブ制御ノード。
【請求項１７】
前記第２のテレビ信号が、前記第１のインタラクティブなテレビ信号の、インタラクトして選択された一部分に関連するプログラムのプレビューを備える、請求項１３に記載のインタラクティブ制御ノード。
【請求項１８】
前記少なくとも１つのインタラクティブなテレビ信号が、インタラクティブなコンピュータネットワークウェブサイトと関連する、請求項１３に記載のインタラクティブ制御ノード。
【発明の詳細な説明】
【技術分野】
【０００１】
本発明はビデオ供給システム、特にユーザーによっての双方向通信を可能にするビデオ供給システムに関する。
【背景技術】
【０００２】
ピクチャー・イン・ピクチャー（ＰＩＰ）ビデオシステムは、同時に複数のテレビ信号を、テレビのような表示装置に映すのを可能にする。表示装置の画面は、通常、ウィンドウに分割され、各々のウィンドウは違う信号を映す。これは、一般的にＰＩＰチップとして知られる電子チップの使用を通して実現できる。しかしながら、そのようなチップは、セット・トップ・ボックスに価格を上乗せするので、ＰＩＰシステムを実行する代替方が考案された。そのような一代替方は、表示される一以上の信号をテレビ内の記憶装置に、蓄積することを含む。そして、この蓄積された信号は、ＰＩＰ表示を果たすために、受信する一以上の信号とリニアに結合されている。しかしながら、このようなシステムもまた通常、各々のテレビに、多数の高額でありえる追加部分を含むことを要求され、付加費用がかかる可能性がある。
【０００３】
ユーザーにケーブル・ヘッドエンドと通信し合うこと、および、そのヘッドエンドにそのユーザーのテレビと通信し合うことを可能にするインタラクティブ・ケーブル・テレビシステムが開発されている。このようなシステムは、ユーザーに、例えば、そのユーザーが現在見ているプログラムに関するインターネットからの情報を取り出すことを可能にする。これを行う一方法は、チャンネル・ハイパー・リンキングとして知られ、関連情報が、そのチャンネル・ハイパー・リンキングにおいて、現在見られている特定のプログラムにリンクされる。情報はインターネット、または他の出所から取り出され、表示されている信号を置き換えるために、ユーザーへ送られる。
【発明の開示】
【課題を解決するための手段】
【０００４】
本発明の実施形態は、インタラクティブなピクチャー・イン・ピクチャービデオ表示を生成する方法を含む。テレビ信号の供給網の第１のインタラクティブなテレビ信号は、表示装置の第１の表示画面（ｖｉｅｗｉｎｇ  ａｒｅａ）にて表示される。加入しているユーザーは、第１のインタラクティブなテレビ信号とインタラクト（ｉｎｔｅｒａｃｔ）して、制御信号を生成する。制御信号は、テレビ信号供給網のインタラクティブ制御ノードに伝達される。テレビ信号配給網の第２のテレビ信号は、表示画面の第２の表示画面にて表示される。第２のテレビ信号は、制御信号に応答するインタラクティブ制御ノードからの指示に応答し、選択される。
【０００５】
さらなる実施形態において、テレビ信号は、デジタルおよび／またはアナログ信号を含み得る。第１のインタラクティブなテレビ信号は、電子プログラムガイドを含み得、および／または、インタラクティブなコンピュータネットワークウェブサイトに関連し得る。第２のテレビ信号は、第１のインタラクティブなテレビ信号の、インタラクトして選択された一部分に関連するプログラムのプレビューを含み得る。
【０００６】
本発明の他の実施形態は、インタラクティブなテレビ信号供給システムのためのセット・トップ・ボックスを含む。ボックスは、表示装置の第１の表示画面において表示するための、テレビ信号配給網の第１のインタラクティブなテレビ信号を提供する第１のチューナーと、テレビ信号配給網のインタラクティブ制御ノードに制御信号を伝えるデータトランシーバと、該制御信号は第１のインタラクティブなテレビ信号とのユーザーのインタラクションに応答して生成されるものであり、表示装置の第２の表示画面においての装置表示のための、テレビ信号配給網の第２のテレビ信号を提供する第２のチューナーと、該第２のテレビ信号は制御信号に応答するインタラクティブ制御ノードからの指示に応答し選択される、を備える。
【０００７】
さらなる実施形態において、テレビ信号は、デジタルおよび／またはアナログ信号を含む。第１のインタラクティブなテレビ信号は、電子プログラムガイドを含み得、および／または、インタラクティブなコンピュータネットワークウェブサイトに関連し得る。第２のテレビ信号は、第１のインタラクティブなテレビ信号の、インタラクトして選択された一部分に関連するプログラムのプレビューを含み得る。
【０００８】
本発明の実施形態は、テレビ信号供給網のためのインタラクティブ制御ノードをも含む。ノードは、加入者サイトでの表示装置の第１の表示画面においての表示のための１つのインタラクティブなテレビ信号を少なくとも有する複数のテレビ信号を、加入者サイトに提供するテレビ信号源、および、加入者サイトから、少なくとも１つの第１のインタラクティブなテレビ信号とのユーザーのインタラクションに応答して生成される制御信号に応答し、表示装置の第２の表示画面において表示するための第２のテレビ信号を、テレビ信号源に提供させる、制御部を備える。
【０００９】
さらなる実施形態において、複数のテレビ信号は、デジタルおよび／またはアナログ信号を含み得る。少なくとも１つのインタラクティブなテレビ信号は、電子プログラムガイドを含み得、および／または、インタラクティブなコンピュータネットワークウェブサイトに関連し得る。第２のテレビ信号は、第１のインタラクティブなテレビ信号の、インタラクトして選択された一部分に関連するプログラムのプレビューを含み得る。
【００１０】
本発明の上述の特徴は、添付の図面の参照と共に、以下の詳細な説明の参照によって、より容易に理解される。
【発明を実施するための最良の形態】
【００１１】
この説明に使用される、および請求項にて使用されたように、後述の用語は、特に必要とされない限り、以下の意味を持つ。「テレビ信号」は、ビデオ表示のためのテレビによって利用されるであろう、形状には関らない、標準ＮＴＳＣ変換された無線周波数キャリア、ＭＰＥＧ圧縮されたデジタルデータストリーム、または他の形式を含む任意の信号であり、また、これはインタラクティブなテレビ信号を含む。
【００１２】
図１は、テレビ情報信号の供給のためのシステムにおいて、インタラクティブなピクチャー・イン・ピクチャー１０の使用の実施形態を表す。加入者サイト１２は第１のチューナー、第２のチューナー、データ・トランシーバ、入力部（各々の部分は図１にて表されず、図２にて表され、以下に記述する）、表示装置１６および入力装置１８を含む。第１のチューナー、第２のチューナー、データ・トランシーバ、および入力部は、チューニング装置１４として図１に表されるように、単体を構成し得る。従って、チューニング装置１４は、デュアルチューナーケーブル・セットトップボックスであり得る。表示装置１６はテレビ、スクリーン、モニター、または、テレビ情報信号を表示することが可能な任意の装置であり得る。入力装置１８はリモコン装置、キーパッド、キーボード、または、信号を生成、および送信が可能な任意の装置であり得る。チューニング装置１４の入力部は、通常、赤外線リモコン装置に応答する赤外線レシーバーであり得る。これらの装置は、図２と関連付けて、より詳細に下記する。
【００１３】
加入者サイト１２は、供給システム内において、信号源からテレビ情報信号３０を受信する。信号供給システムはケーブル施設２０であり得る。衛星のような他の信号供給システムも、使用される。ケーブル施設２０は、テレビ／ビデオチャンネル源２２、インタラクティブ制御ノード２４、および、コンバイナー２６を含む。コンバイナー２６は、インタラクティブ制御ノード２４からのテレビ情報信号３０と、テレビ／ビデオチャンネル源２２からのテレビ情報信号３０を組み合わせるために、使用される。組み合わせテレビ情報信号は、供給システム内で、加入者サイト１２に送られる。インタラクティブ制御ノード２４、およびテレビ／ビデオチャンネル源２２は、地理的に異なった地域に配置される場合もある。インタラクティブ制御ノード２４は、図２に関連付けて、詳細に下記する。
【００１４】
さらに、テレビ情報信号３０は、加入者サイト１２のある地理的な地区に配置されるローカルノード２８を介して、通過する場合がある。一般的なシステムは、複数のノード２８を通って、複数の加入者サイト１２へと送られる複数のテレビ情報信号３０を含む。テレビ情報信号３０は、アナログ形式、またはデジタル形式であり得る。
【００１５】
インタラクティブなテレビサービスを提供する例は、図１を参照に、示すことができる。テレビ／ビデオチャンネル源２２は、テレビ情報信号３０を加入者サイト１２へ放送する。インタラクティブ制御ノード２４は、インタラクティブなテレビ情報信号を、加入者サイト１２へ提供する。インタラクティブ信号は、インタラクティブ・セッションのために加入者へ、特別に指定されたチャンネルで提供される。代替的に、信号は、各々の加入者によって、受信および復号可能な、明確にアドレスされたデジタル信号であり得る。そのような方法は、ここで援用される米国特許番号第６，１００，８８３号の全開示に説明される。通常の当業者に知られる、インタラクティブなテレビ情報信号を提供する他の方法は、本発明の範囲内において使用もされる。インタラクティブ制御ノード２４は、加入者サイト１２からの入力データ３１を受信する。入力データ３１は、インタラクティブ制御ノード２４によって加入者サイト１２へと提供されたインタラクティブなテレビ情報信号と結び付けて、規定される。次に、インタラクティブ制御ノード２４は、加入者サイト１２へテレビ情報信号選択データを送ることによって、入力データ３１に応答する。テレビ情報信号選択データは、加入者サイト１２がテレビ情報信号選択データを受信できるように、加入者サイト１２へとアドレスされる。テレビ情報信号選択データは、加入者サイト１２の第２のチューナーへ、表示装置１６の表示のためのテレビ情報信号の内の、特定の１つを選択するように、指示する。インタラクティブ制御ノード２４は、その処理中の間、加入者サイト１２へ、インタラクティブなテレビ情報信号を提供することを続ける。加入者は、同時に、インタラクティブなテレビ情報信号、および、第２のチューナーによって選択された信号を見ることが出来る。
【００１６】
図２は、加入者サイト１２の視点からのインタラクティブなピクチャー・イン・ピクチャーシステムを表す。図２において、表示装置１６は、テレビ情報信号３０を見せるように、構成される。表示装置１６は、第１の表示画面１６０、および第２の表示画面１６２と、２つの表示画面を有する。本文を通して記載される、第１の表示画面１６０、および第２の表示画面１６２は、任意のサイズであり、片方のエリアは、もう片方のエリアよりも大きい。第１のチューナー４０、および第２のチューナー４２は、表示装置１６に、どのテレビ情報信号３０を映すのかを決定する。第１のチューナー４０は、インタラクティブ制御ノード２４から、インタラクティブなテレビ情報信号３０を受信し、および、第１の表示画面１６０にて、加入者サイトに指定されたインタラクティブなテレビ情報信号３２０を表示する。第２のチューナー４２は、ケーブル施設２０から、スタンダード放送信号、またはインタラクティブなテレビ情報信号であり得るテレビ情報信号３０の内の１つに、チャンネルを合わせる。第２のチューナー４２は、第２の表示画面１６２にてテレビ情報信号３００を表示する。テレビ情報信号３０は、アナログまたはデジタル形状である。
【００１７】
加入者サイト１２のユーザー、または加入者は、入力装置１８を使って、表示装置１６に映されるテレビ情報信号と情報を交換することが可能である。入力装置１８は、入力データ信号４４を生成する。入力データ信号４４は、第１の表示画面１６０にて表示されるインタラクティブなテレビ情報信号３２０に結び付けて、規定される。入力データ信号４４は、データ・トランシーバ４８へ入力データ信号４４を送る入力部４６によって、受信される。一般的な入力部４６は、赤外線レシーバであり得る。データ・トランシーバ４８は、第１のチューナ４０、第２のチューナ４２、およびインタラクティブ制御ノード２４と通信する状態にある。データ・トランシーバ４８が入力データ信号４４を受信する場合、データ・トランシーバ４８は、インタラクティブ制御ノード２４と通信し合う。この通信の応答として、インタラクティブ制御ノード２４は、データをデータ・トランシーバ４８に送り返す。このデータは、テレビ情報信号選択データであり得る。テレビ情報選択データは、第２のチューナ４２がテレビ情報信号３０の中から選ばれた１つにチャンネルを合わすことを、データ・トランシーバ４８に指示する。次に、表示装置１６の第２の表示画面１６２は、この選ばれたテレビ情報信号を表示する。
【００１８】
インタラクティブ制御ノード２４は、これより記載される。インタラクティブ制御ノード２４は、インタラクティブなテレビ情報信号源３３、および制御部３４を含む。制御部３４は、一般的に、インタラクティブ信号を要請する各々の加入者へ、各々のテレビ情報信号を提供するための処理装置、または複数の処理装置である。インタラクティブなテレビ情報信号は、システムによって、デジタル、またはアナログのどちらかの形状で、加入者サイト１２へと送られる。加入者サイト１２の第１のチューナ４０は、テレビ情報信号３０を受信し、表示画面１６０に表示するための表示装置１６へ、指定されたインタラクティブなテレビ情報信号３２０を提供する。制御部３４は、加入者サイト１２と通信する状態にある。インタラクティブなテレビ情報信号に結び付けて規定される加入者サイト１２からの入力データ信号４４は、インタラクティブ制御ノード２４へ、レシーバーにより、さかのぼって送られる。制御部３４は信号に応答する。一般的に、応答は、インタラクティブなテレビ情報信号と関連し、および、インタラクティブなテレビ情報信号の変化を伴う。これは、映画の一時停止、巻き戻し、早送り、またはゲームボードでの一つの動き、またはビデオゲームでのアクションフィギュアの動作のような幅の広いインタラクションを含み得る。
【００１９】
本発明の一局面に従って、入力データ信号は、表示装置１６の第２の表示画面１６２においての応答をもたらす事に使用され得る。インタラクティブなテレビ情報信号３２０に関連して規定される入力データ信号４４は、視聴者によって、インタラクティブ制御ノード２４へ送られる。それに応じて、インタラクティブ制御ノード２４は、第２のチューナー４２によって使用されるテレビ情報信号選択データを送る。テレビ情報信号選択データは、加入者サイト１２へとアドレスされ、第２のチューナー４２に対するテレビ情報信号を識別する。これは、表示装置１６の第２の表示画面１６２にて表示される特定のテレビ情報信号を選択するよう、第２のチューナー４２へ指示する。
【００２０】
図３は、図１および図２において表されるシステムに従って行われるインタラクティブなピクチャー・イン・ピクチャーの一部としての、電子プログラムガイドを示す。表示装置１６は、第１の表示画面１６０、および第２の表示画面１６２に分割される。第１の表示画面１６０は、インタラクティブなテレビ情報信号、ここにおいては、特定の時間帯での利用可能なテレビプログラムのリストである電子プログラムガイド７０を表示する。第２の表示画面１６２はテレビ情報信号、ここにおいては、電子プログラムガイド７０上にて現在選択される、テレビプログラムを表示する。システムは、利用可能なプログラムのガイドリストを検討すると同時に、利用可能なプログラムを見ることを可能にする。例えば、ＮＢＣにカーソルを置き、表示画面１６２は、ＮＢＣ信号を表示するようにすることが可能である。加入者サイトに位置するユーザーが、電子番組ガイド７０において反転表示されたプログラムを、ＦＯＸへと変える場合、第２の表示画面１６２において、異なったテレビプログラム（例えば、シンプソンズ（Ｔｎｅ  Ｓｉｍｐｓｏｎｓ））が表示される。これは、入力装置に、電子プログラムガイド７０と関連して規定され、第２の表示画面１６２に表示された入力データ信号、ここにおいてはＦＯＸ、を生成することを引き起こす。インタラクティブ制御ノードは、データ・トランシーバからの入力データ信号を受信し、異なったテレビプログラム（ここにおいては、シンプソンズ）を含むテレビ情報信号を選択するように第２のチューナーを指示するデータと共に応答する。第２のチューナーは、データを受信し、適切なテレビ情報信号を選択する。表示装置１６第２の表示画面１６２は、ここで、選択されたテレビ情報信号を表示する。そして、ユーザーは、選択されたテレビ情報信号、および第１の表示画面１６０が、表示装置１６にて、引き続き表示する電子番組ガイド７０をも見ることが可能である。
【００２１】
図４は、図３と同様に作動するインタラクティブなピクチャー・イン・ピクチャーシステムを表す。図４において、表示装置１６の第１の表示画面１６０にて映される電子番組ガイド７１は、プロバイダーから購入可能な映画のリストである。第２の表示画面１６２は、電子番組ガイド７１にて、現在選択された映画のプレビューを映す。加入者サイトに位置するユーザーがリスト内の異なった映画のプレビューを見ることを望む場合、ユーザーは、電子番組ガイド７１内の映画を選択するために、入力装置を使用できる。これは、入力装置に、電子プログラムガイド７１によって規定され、反転表示された映画に関連する入力データ信号を生成することを、引き起こす。インタラクティブ制御ノードは、データ・トランシーバから、入力データ信号を受信し、異なった映画のプレビューを含むテレビ情報信号を選択するように、第２のチューナーを指示するテレビ情報信号選択データに応答する。第２のチューナーは、データを受信し、および、適切なテレビ情報信号を選択する。表示装置１６の第２の表示画面１６２は、反転表示されたビデオのプレビューと共に、選択されたテレビ情報信号を表示する。プレビューは、テレビ情報信号の内の一インタラクティブな信号上に提供され得る。そして、ユーザーは、プレビュー、および第１の表示画面１６０が、表示装置１６上にて、引き続き表示する電子番組ガイド７１を見ることが可能である。
【００２２】
図５、および図６は、他の可能であるインタラクティブなピクチャー・イン・ピクチャーの実施を示す。図５において、表示装置１６は、インタラクティブなリンク７２を重ねたテレビ情報信号を映す。リンク７２は、例えば、テレビ情報信号に関連するインターネットのウェブサイトに、アクセスさせるインタラクティブなボタンである。ユーザーが、リンク７２を起動するために、表示と接触する場合、表示装置１６は、図６において表されるように、第１の表示画面１６０、および第２の表示画面１６２に分割される。第２のチューナーが、最初に表示装置１６全面を占有していたテレビ情報信号を第２の表示画面１６２において表示するように指示される間、第１のチューナーは、第１の表示画面１６０にてインタラクティブなテレビ情報信号を表示する。
【００２３】
図７および図８は、インタラクティブなピクチャー・イン・ピクチャーシステムの他の実施を示す。図７において、表示装置１６は、ここにおいてはファンタジーフットボールチームプレーヤーの表７３、およびそれに関連する情報として描かれているインタラクティブなテレビ情報信号を表示する。加入者サイトのユーザーは、特定のプレーヤーが参加している実際のフットボールのゲームのビデオを見ることを望み得る。そうするには、ユーザーは、入力装置を用いて、そのプレーヤーの名前、および関連情報を含む表７３の列７４を選択する。そして、入力装置は、ここにて、表７３の選択された列７４として表されるインタラクティブなテレビ情報信号に関連付けて規定される入力データ信号を生成する。インタラクティブ制御ノードは、入力データ信号を受信し、選択されたプレーヤーが参加している実際のフットボールのゲームのビデオを含むテレビ情報信号を選択するよう、第２のチューナーに指示するテレビ情報信号選択データに応答する。
【００２４】
第２のチューナーは、データを受信し、適切なテレビ情報信号を選択する。そして、表示装置は、図８に表されるような第１の表示画面１６０、および第２の表示画面１６２に分割される。それから、第２の表示画面１６２は、適切なテレビ情報信号を表示する。この実施例において、インタラクティブ制御ノードから受信するデータは、ここにおいて、プレーヤーの名前および関連情報である表７３の選択された列７４だけではなく、そのプレーヤーの統計７５をも含む異なったインタラクティブなテレビ情報信号を選択するように、第１のチューナーに指示もする。そして、第１の表示画面１６０は、異なったインタラクティブなテレビ情報信号を表示する。ユーザーは、適切なテレビ情報信号、および異なったインタラクティブなテレビ情報信号を見ることができる。
【００２５】
上述から考慮して、添付された請求項にて定義される本発明の意図は、ここにて記載される実施形態に限定されず、および、上の多数の追加バリエーション、および変更は、添付された請求項にて定義される本発明の意図からかけ離れたものではなく、構成されることは、従って理解される。
【図面の簡単な説明】
【００２６】
【図１】インタラクティブなピクチャー・イン・ピクチャーシステムの概略図である。
【図２】加入者の観点から見たシステムの実施形態を示す。
【図３】システムを用いて実施される電子プログラムガイドの実施例を示す。
【図４】システムを用いて実施される電子プログラムガイドのさらなる実施例を示す。
【図５】さらなるインタラクティブなピクチャー・イン・ピクチャー表示を作り出すために、加入者の、表示された信号とのインタラクトの実施例を示す。
【図６】さらなるインタラクティブなピクチャー・イン・ピクチャー表示を作り出すために、加入者の、表示された信号とのインタラクトの実施例を示す。
【図７】さらなるインタラクティブなピクチャー・イン・ピクチャー表示を作り出すために、加入者の、表示された信号とのインタラクトのさらなる実施例を示す。
【図８】さらなるインタラクティブなピクチャー・イン・ピクチャー表示を作り出すために、加入者の、表示された信号とのインタラクトのさらなる実施例を示す。
【図１】
2006528438.tif 000003
【図２】
2006528438.tif 000004
【図３】
2006528438.tif 000005
【図４】
2006528438.tif 000006
【図５】
2006528438.tif 000007
【図６】
2006528438.tif 000008
【図７】
2006528438.tif 000009
【図８】
2006528438.tif 000010
【国際調査報告】
2006528438.tif 000011
2006528438.tif 000012